(57)【特許請求の範囲】
【請求項１】
アクティブマトリクス有機電界発光表示装置であって、
複数の画素が配列されている画像表示部と、
前記複数の画素のそれぞれに画素駆動電圧を伝達する第１画素電源線及び第２画素電源線と、
前記第１画素電源線及び第２画素電源線に前記画素駆動電圧をそれぞれ提供する第１電源供給源及び第２電源供給源と、
を具備し、
前記画像表示部に備えられる複数の画素のうち、同じ色相の隣接する画素は、互いに異なる画素電源線にそれぞれ連結されており、
前記第１電源供給源及び第２電源供給源で提供する画素駆動電圧は、同じレベルの正の電圧であることを特徴とする有機電界発光表示装置。
【請求項２】
前記第１画素電源線及び第２画素電源線は、互いに反対方向に引き出されて配列されることを特徴とする請求項１に記載の有機電界発光表示装置。
【請求項３】
前記第１画素電源線は、画像表示部の上側から下側方向へ引き出されて配列され、
前記第２画素電源線は、前記画像表示部の下側から上側へ引き出され、前記第１画素電源線の間にそれぞれ配列されることを特徴とする請求項２に記載の有機電界発光表示装置。
【請求項４】
前記第１画素電源線は、画像表示部の奇数番目の列方向に配列され、
前記第２画素電源線は、画像表示部の偶数番目の列方向に配列されることを特徴とする請求項３に記載の有機電界発光表示装置。
【請求項５】
前記画像表示部に備えられる複数の画素において、
奇数番目の行に配列された画素は、画素の第１側に配列された画素電源線に連結され、
偶数番目の行に配列された画素は、前記画素の第１側の反対側である第２側に配列された画素電源線に連結され、
前記画素の第１側及び第１側の反対側である第２側には、それぞれ前記第１画素電源線及び前記第２画素電源線の何れかが配列されていることを特徴とする請求項４に記載の有機電界発光表示装置。
【請求項６】
前記画素は、隣接する赤色Ｒ、緑色Ｇ、青色Ｂの画素が１つの単位画素を実現し、前記単位画素を構成する３つの画素のうち、２つの画素が隣接する１つの画素電源線を共有するように配列されることを特徴とする請求項４に記載の有機電界発光表示装置。
【請求項７】
前記画素のうち、所定の第１色画素が前記第１画素電源線に連結されれば、前記第１色画素の上、下、左、右に隣接して位置する同じ色相（第１色）の画素は前記第２画素電源線に連結されることを特徴とする請求項１に記載の有機電界発光表示装置。
【請求項８】
前記第１色は、赤色Ｒ、緑色Ｇ、青色Ｂのいずれか１つの色であることを特徴とする請求項７に記載の有機電界発光表示装置。
【請求項９】
前記第１及び第２画素電源線と交差する方向に多数配列される第１及び第２補助画素電源線が更に形成されることを特徴とする請求項１に記載の有機電界発光表示装置。
【請求項１０】
前記第１補助画素電源線は前記第１画素電源線とメッシュ状に連結されるように実現され、前記第２補助画素電源線は前記第１補助画素電源線の間にそれぞれ配列されて前記第２画素電源線とメッシュ状に連結されるように実現されることを特徴とする請求項９に記載の有機電界発光表示装置。
【請求項１１】
前記第１及び第２補助画素電源線は比抵抗値が低い金属物質で実現され、前記第１及び第２画素電源線と異なるレイヤに形成されることを特徴とする請求項９に記載の有機電界発光表示装置。
【請求項１２】
前記第１補助画素電源線と第１画素電源線の交差地点及び第２補助画素電源線と第２画素電源線の交差地点にはコンタクトホールが形成され、これにより、前記第１及び第２補助画素電源線は前記第１及び第２画素電源線とそれぞれ電気的に連結されることを特徴とする請求項１１に記載の有機電界発光表示装置。
【発明の詳細な説明】
【技術分野】
【０００１】
本発明は平板表示装置に関し、特に、有機電界発光表示装置に関する。
【背景技術】
【０００２】
最近、陰極線管（Ｃａｔｈｏｄｅ Ｒａｙ Ｔｕｂｅ）の短所である重さと体積を減らすことができる各種平板表示装置が開発されている。平板表示装置としては、液晶表示装置（Ｌｉｑｕｉｄ Ｃｒｙｓｔａｌ Ｄｉｓｐｌａｙ）、電界放出表示装置（Ｆｉｅｌｄ Ｅｍｉｓｓｉｏｎ Ｄｉｓｐｌａｙ）、プラズマ表示パネル（Ｐｌａｓｍａ Ｄｉｓｐｌａｙ Ｐａｎｅｌ）及び有機電界発光表示装置（Ｏｒｇａｎｉｃ Ｌｉｇｈｔ Ｅｍｉｔｔｉｎｇ Ｄｉｓｐｌａｙ）などが挙げられる。
【０００３】
前記平板表示装置のうち、有機電界発光表示装置は電子と正孔の再結合により蛍光物質を発光させる自発光素子であって、駆動方式によって受動マトリクス有機電界発光表示装置と能動マトリクス有機電界発光表示装置とに分けられる。
【０００４】
ここで、前記能動マトリクス有機電界発光表示装置は、多数の画素をマトリクス状に配列し、各画素の内部に薄膜トランジスタのようなスイッチ素子を用いて前記画素の発光を制御し、前記画素の選択如何に関するスキャンライン（Ｓｃａｎ Ｌｉｎｅ）、前記画素の発光を調節するデータライン（Ｄａｔａ Ｌｉｎｅ）及び前記画素に電圧（又は電流）を供給する画素電源線ＶＤＤを通じてディスプレイ機能を行う。
【０００５】
前記画素電源線ＶＤＤは、連結された複数の画素に一定の電圧を供給する。前記画素電源線を介して印加される電圧値は、連結されたそれぞれの画素の観点から見ると、一定の同一の値でなければならないが、前記画素電源線に発生する電圧降下（ＩＲ Ｄｒｏｐ）によってその目的を達成できなくなる。即ち、外部の電源供給ソースから遠くなればなるほど、前記電圧降下によって画素に供給される電圧が減少するためである。これは下記の図面を通じて更に明確に説明される。
【０００６】
図１は、既存の一般的な有機電界発光表示装置の構成を示すブロック図である。
【０００７】
図１を参照すれば、有機電界発光表示装置は、画像を表現する画像表示部１０、データ信号を伝達するデータ駆動部２０及び走査信号を伝達する走査駆動部３０を含んで構成される。
【０００８】
また、前記画像表示部１０は、発光素子と画素回路からなる複数の画素１１、行方向に配列された複数の走査線Ｓ１、Ｓ２、．．．Ｓｎ-１、Ｓｎ、列方向に配列された複数のデータ線Ｄ１、Ｄ２、．．．．Ｄｍ-１、Ｄｍ及び前記複数の画素のそれぞれに電源を供給する複数の画素電源線ＶＤＤ、前記画素電源線ＶＤＤに所定の電圧を提供する電源供給源１２を含む。
【０００９】
そして、画像表示部１０は、走査線Ｓ１、Ｓ２、．．．Ｓｎ-１、Ｓｎから伝達される走査信号とデータ線Ｄ１、Ｄ２、．．．．Ｄｍ-１、Ｄｍから伝達されるデータ信号が前記各画素に印加され、これにより、各画素に備えられた画素回路はデータ信号に対応する電流を生成して発光素子に伝達して画像をディスプレイするようになる。
【００１０】
この場合、前記各画素には前記画素電源線を介して一定のレベルを有する正の画素駆動電圧が印加されるが、図示のように、前記画素駆動電圧を印加する前記電源供給源１２に対して相対的に遠方に位置する画素が存在し、これにより、電源供給源１２に共通して接続される各画素電源線ＶＤＤの長さによる線抵抗の不均一により各画素１１に供給される画素駆動電圧の電圧降下（ＩＲ Ｄｒｏｐ）の大きさが互いに異なる。
【００１１】
即ち、電源供給源１２に隣接するほど画素電源線ＶＤＤの電圧降下の大きさが小さい反面、電源供給源１２から遠くなるほど画素電源線ＶＤＤの電圧降下の大きさが増加する。
【００１２】
従って、既存の有機電界発光表示装置は、各画素１１の位置による画素電源線ＶＤＤの電圧降下の不均一により同一のデータ信号に対して各画素１１の位置毎に電流量が変わってしまい、発光輝度が不均一になるという短所があり、このような問題はパネルが大型化するにつれて更に大きな問題として浮上している。
【先行技術文献】
【特許文献】
【００１３】
【特許文献１】日本特許公開第２００６−２６７７６６号
【発明の概要】
【発明が解決しようとする課題】
【００１４】
本発明は上記事情に鑑みてなされたものであって、その目的は、第１電源供給源から画素駆動電圧の印加を受ける第１画素電源線及び前記第１画素電源線の間にそれぞれ配列され、第２電源供給源から画素駆動電圧の印加を受ける第２画素電源線が備えられ、画像表示部に備えられる複数の画素のうち、同じ色相の隣接する画素は前記互いに異なる画素電源線にそれぞれ連結されることで、画素電源線の電圧降下による画像表示部全体の輝度の不均一の問題を克服する有機電界発光表示装置を提供することにある。
【課題を解決するための手段】
【００１５】
前記目的を達成するために、本発明の一態様による有機電界発光表示装置は、複数の画素が配列される画像表示部と、前記複数の画素のそれぞれに画素駆動電圧を伝達する第１画素電源線及び第２画素電源線と、前記第１画素電源線及び２画素電源線に前記画素駆動電圧をそれぞれ提供する第１電源供給源及び第２電源供給源と、前記画像表示部に備えられる複数の画素のうち、同じ色相の隣接する画素は互いに異なる画素電源線にそれぞれ連結されることを特徴とする。
【００１６】
ここで、前記第１画素電源線及び第２画素電源線は互いに反対方向に引き出されて配列される。
【００１７】
また、前記第１画素電源線は画像表示部の上側から下側方向へ引き出されて配列され、前記第２画素電源線は前記画像表示部の下側から上側へ引き出され、前記第１画素電源線の間にそれぞれ配列される。
【００１８】
更に、前記第１画素電源線は画像表示部の奇数番目の列方向に配列され、第２画素電源線は画像表示部の偶数番目の列方向に配列される。
【００１９】
また、前記画像表示部に備えられる複数の画素の場合、奇数番目の行に配列された画素は第１側に配列された画素電源線に連結され、偶数番目の行に配列された画素は前記第１側の反対側である第２側に配列された画素電源線に連結される。
【００２０】
更に、前記画素は隣接する赤色Ｒ、緑色Ｇ、青色Ｂの画素が１つの単位画素を実現し、前記単位画素別に前記画素は同じ方向に引き出された前記画素電源線と連結され、前記単位画素を構成する３つの画素のうち、２つの画素が隣接する１つの画素電源線を共有するように配列される。
【００２１】
ここで、奇数番目の行に配列された前記単位画素は第１画素電源線に連結されるように実現され、このとき、赤色画素はｉ番目（ｉは整数、ｉ≦ｍ／２-１）の第１画素電源線に連結され、緑色及び青色画素はｉ＋１番目の第１画素電源線を共有して連結される。
【００２２】
そして、偶数番目の行に配列された前記単位画素は第２画素電源線に連結されるように実現され、このとき、赤色及び緑色画素はｊ番目（ｊは整数、ｊ≦ｍ／２-１）の第２画素電源線を共有して連結され、青色画素はｊ＋１番目の第２画素電源線に連結される。
【００２３】
また、前記第１及び第２電源供給源で提供する画素駆動電圧は同じレベルの正の電圧である。
【００２４】
更に、前記画素のうち、所定の第１色画素が前記第１画素電源線に連結されれば、前記第１色画素の上、下、左、右に隣接して位置する同じ色相（第１色）の画素は前記第２画素電源線に連結され、このとき、前記第１色は赤色Ｒ、緑色Ｇ、青色Ｂのいずれか１つの色である。
【００２５】
また、前記第１及び第２画素電源線と交差する方向に多数配列される第１及び第２補助画素電源線が更に形成される。
【００２６】
更に、前記第１補助画素電源線は前記第１画素電源線とメッシュ状に連結されるように実現され、前記第２補助画素電源線は前記第１補助画素電源線の間にそれぞれ配列されて前記第２画素電源線とメッシュ状に連結されるように実現される。
【００２７】
また、前記第１及び第２補助画素電源線は比抵抗値が低い金属物質で実現され、前記第１、２画素電源線と異なるレイヤに形成され、前記第１補助画素電源線と第１画素電源線の交差地点及び第２補助画素電源線と第２画素電源線の交差地点にはコンタクトホールが形成され、これにより、第１、２補助画素電源線は前記第１、２画素電源線とそれぞれ電気的に連結される。
【発明の効果】
【００２８】
このような本発明によれば、画素電源線から同じ色相の隣接する各画素に至る到達距離を一定にして画素電源線の電圧降下による画像表示部全体の輝度の不均一の問題を克服できるという効果を奏する。
【図面の簡単な説明】
【００２９】
【図１】既存の一般的な有機電界発光表示装置の構成を示すブロック図である。
【図２】本発明の実施形態による有機電界発光表示装置の構成を示すブロック図である。
【図３】図２に示す画素の一実施形態に対する構成を示す回路図である。
【図４Ａ】図２に示す実施形態に対して第１及び第２画素電源線と、各画素の連結関係を具体的に示す図である。
【図４Ｂ】図２に示す実施形態に対して第１及び第２画素電源線と、各画素の連結関係を具体的に示す図である。
【図５】本発明の他の実施形態による有機電界発光表示装置の構成を示すブロック図である。
【図６】図５に示す実施形態に対して第１、２画素電源線及び第１、２補助画素電源線と、各画素の連結関係を具体的に示す図である。
【発明を実施するための形態】
【００３０】
以下、添付する図面を参照して本発明の実施形態を更に詳細に説明する。
【００３１】
図２は、本発明の実施形態による有機電界発光表示装置の構成を示すブロック図である。
【００３２】
図２を参照すれば、本発明の実施形態による有機電界発光表示装置は、画像を表現する画像表示部１００、データ信号を伝達するデータ駆動部２００及び走査信号を伝達する走査駆動部３００を含んで構成される。
【００３３】
また、前記画像表示部１００は、発光素子と画素回路からなる複数の画素１１０、行方向に配列された複数の走査線Ｓ１、Ｓ２、．．．Ｓｎ-１、Ｓｎ、列方向に配列された複数のデータ線Ｄ１、Ｄ２、．．．．Ｄｍ-１、Ｄｍ及び前記複数の画素のそれぞれに画素駆動電圧を伝達する第１及び第２画素電源線ＶＤＤ１、ＶＤＤ２、前記第１、２画素電源線ＶＤＤ１、ＶＤＤ２に前記画素駆動電圧を提供する第１、２電源供給源１２２、１２４を含む。
【００３４】
特に、本発明の実施形態の場合、前記画素駆動電圧を各画素に伝達する画素電源線が互いに反対方向に引き出されて配列される第１画素電源線ＶＤＤ１と第２画素電源線ＶＤＤ２とに分けられて構成されることを特徴とする。
【００３５】
即ち、図２に示すように、前記第１画素電源線ＶＤＤ１は画像表示部１００の上側から下側方向へ引き出されて配列され、前記第２画素電源線ＶＤＤ２はこれと反対に前記画像表示部１００の下側から上側へ引き出され、前記第１画素電源線ＶＤＤ１の間にそれぞれ配列される。
【００３６】
また、前記第１画素電源線ＶＤＤ１は第１電源供給源１２２から画素駆動電圧の印加を受けてこれを画像表示部１００に備えられた画素１１０に伝達し、前記第２画素電源線ＶＤＤ２は第２電源供給源１２４から画素駆動電圧の印加を受けてこれを画像表示部１００に備えられた画素１１０に伝達する。
【００３７】
即ち、前記第１画素電源線ＶＤＤ１の場合、前記第１電源供給源１２２に対して相対的に遠い画像表示部１００の下側領域へ行くほど第１画素電源線ＶＤＤ１の電圧降下の大きさが増加し、これと反対に第２画素電源線ＶＤＤ２の場合には前記第２電源供給源１２４に対して相対的に遠い画像表示部１００の上側領域へ行くほど第２画素電源線ＶＤＤ２の電圧降下の大きさが増加する。
【００３８】
これは同じ方向にのみ画素駆動電圧が前記画素電源線を介して各画素に印加される場合、画素電源線の電圧降下の差により画像表示部の輝度ばらつきが発生することを克服するためである。
【００３９】
但し、前記第１及び第２電源供給源１２２、１２４で提供する画素駆動電圧は同じレベルの正の電圧であり、これにより、前記第１、２電源供給源１２２、１２４は１つの装置で実現されることができる。
【００４０】
また、前記画像表示部１００に備えられるそれぞれの画素１１０は、前記第１画素電源線ＶＤＤ１又は第２画素電源線ＶＤＤ２に連結されるが、本発明の場合、前記画像表示部１００に備えられる複数の画素１１０のうち、同じ色相の隣接する画素は前記互いに異なる画素電源線ＶＤＤ１、ＶＤＤ２にそれぞれ連結されることを特徴とする。
【００４１】
即ち、赤色Ｒ、緑色Ｇ、青色Ｂの画素が１つの単位画素を実現する場合、一例として、第１単位画素に備えられた第１赤色画素１１０ａが第１画素電源線ＶＤＤ１に連結されることを仮定すれば、前記第１単位画素の上、下、左、右に隣接する第２単位画素に備えられた第２赤色画素１１０ｂ、１１０ｃは第１画素電源線ＶＤＤ１ではなく、第２画素電源線ＶＤＤ２に連結されるように実現する。
【００４２】
このような連結を通じて第１赤色画素１１０ａに連結された第１画素電源線ＶＤＤ１の電圧降下の大きさが小さければ、第２赤色画素１１０ｂ、１１０ｃに連結された第２画素電源線ＶＤＤ２の電圧降下の大きさは相対的に大きくなる。
【００４３】
結果として、これは前記画素電源線から同じ色相の隣接する各画素に至る到達距離、即ち、線抵抗の大きさを一定にするので、画素電源線の電圧降下による画像表示部全体の輝度の不均一の問題を克服できるようになる。
【００４４】
図３は、図２に示す画素の一実施形態に対する構成を示す回路図である。
【００４５】
但し、これは１つの実施形態であって、本発明の実施形態による画素の構成が必ずしもこれに限定されるものではない。
【００４６】
図３を参照すれば、前記画素は画素回路及び発光素子を含み、前記画素回路は第１トランジスタＭ１、第２トランジスタＭ２及びキャパシタＣ１で構成され、前記第１トランジスタＭ１と第２トランジスタＭ２はソース、ドレイン及びゲートを含み、キャパシタＣ１は第１電極及び第２電極を含む。
【００４７】
前記第１トランジスタＭ１はソースが第１又は第２画素電源線ＶＤＤ１、ＶＤＤ２に連結され、ドレインが発光素子ＯＬＥＤのアノード電極に連結され、ゲートが第１ノードＮ１と連結される。また、前記第１ノードＮ１は第２トランジスタＭ２のドレインと連結される。このとき、前記第１トランジスタＭ１は、データ信号に対応する電流を発光素子ＯＬＥＤに供給する機能を行う。ここで、前記発光素子ＯＬＥＤのカソード電極には基底電源ＶＳＳが連結される。
【００４８】
また、前記第２トランジスタＭ２はソースがデータ線Ｄに連結され、ドレインが第１ノードＮ１と連結され、ゲートは走査線Ｓと連結される。そして、ゲートに印加される走査信号に従ってデータ信号を第１ノードＮ１に伝達する。
【００４９】
前記キャパシタＣ１は第１電極が第１又は第２電源供給線ＶＤＤ１、ＶＤＤ２に連結され、第２電極が第１ノードＮ１に連結されて前記画素に印加されるデータ信号に従う電荷を充電し、充電された電荷により１フレームの時間に第１トランジスタＭ１のゲートに信号を印加するようになって、第１トランジスタＭ１の動作を１フレームの時間に維持させる。
【００５０】
図４Ａ及び図４Ｂは、図２に示す実施形態に対して第１及び第２画素電源線と、各画素の連結関係を具体的に示す図である。
【００５１】
但し、図４では説明の便宜上、走査線及びデータ線の配列は省略されている。
【００５２】
図４Ａ及び図４Ｂを参照すれば、画像表示部１００の上側に位置する第１画素電源線ＶＤＤ１は上から下の方向へ引き出されて配列され、画像表示部１００の下側に位置する第２画素電源線ＶＤＤ２は下から上の方向へ引き出されて前記第１画素電源線ＶＤＤ１の間にそれぞれ配列される。
【００５３】
即ち、前記第１画素電源線ＶＤＤ１は画像表示部１００の奇数番目の列方向に配列され、第２画素電源線ＶＤＤ２は画像表示部１００の偶数番目の列方向に配列される。
【００５４】
但し、図４Ａに示す実施形態は、前記画像表示部１００に備えられる複数の画素１１０の場合、奇数番目の行に配列された画素は第１側、即ち、図４Ａの左側に配列された画素電源線に連結され、偶数番目の行に配列された画素は第２側、即ち、図４Ａの右側に配列された画素電源線に連結される。
【００５５】
このとき、前記画素１１０は、赤色Ｒ、緑色Ｇ、青色Ｂ画素が１つの単位画素を実現する。
【００５６】
また、図４Ｂに示す実施形態は、前記単位画素別に同じ方向に引き出された画素電源線と連結され、前記単位画素を構成する３つの画素のうち、２つの画素が隣接する１つの画素電源線を共有するように配列される。
【００５７】
即ち、図４Ｂを参照すれば、奇数番目の行に配列された単位画素はいずれも第１画素電源線ＶＤＤ１に連結されるように実現され、このとき、赤色画素はｉ番目（ｉは整数、ｉ≦ｍ／２-１）の第１画素電源線ＶＤＤ１に連結され、緑色及び青色画素はｉ＋１番目の第１画素電源線ＶＤＤ１を共有して連結される。
【００５８】
そして、偶数番目の行に配列された単位画素はいずれも第２画素電源線ＶＤＤ２に連結されるように実現され、このとき、赤色及び緑色画素はｊ番目（ｊは整数、ｊ≦ｍ／２-１）の第２画素電源線ＶＤＤ２を共有して連結され、青色画素はｊ＋１番目の第２画素電源線ＶＤＤ２に連結される。
【００５９】
前述したように、本発明は前記画像表示部１００に備えられるそれぞれの画素が前記第１画素電源線ＶＤＤ１又は第２画素電源線ＶＤＤ２に連結されるにおいて、前記画像表示部１００に備えられる複数の画素１１０のうち、同じ色相の隣接する画素は前記互いに異なる画素電源線にそれぞれ連結されることを特徴とする。
【００６０】
図４Ａ及び図４Ｂを参照すれば、画像表示部の最上、左側に位置する第１単位画素４００を例に挙げて説明すれば、前記第１単位画素４００に備えられた第１赤色画素ａは第１画素電源線ＶＤＤ１に連結され、前記第１単位画素４００の行方向に隣接する第２単位画素４１０に備えられた第２赤色画素ｂは第２画素電源線ＶＤＤ２に連結され、前記第１単位画素４００の列方向に隣接する第３単位画素４２０に備えられた第３赤色画素ｃは第２画素電源線ＶＤＤ２に連結される。
【００６１】
この場合、第１赤色画素ａに連結された第１画素電源線ＶＤＤ１の電圧降下の大きさは小さくなるが、第２赤色画素ｂ及び第３赤色画素ｃに連結された第２画素電源線ＶＤＤ２の電圧降下の大きさは大きくなる。
【００６２】
結果として、これは前記画素電源線から同じ色相の隣接する各画素に至る到達距離、即ち、線抵抗の大きさを一定にするので、画素電源線の電圧降下による画像表示部全体の輝度の不均一の問題を克服できるようになる。
【００６３】
図５は、本発明の他の実施形態による有機電界発光表示装置の構成を示すブロック図である。
【００６４】
図５に示す実施形態は図２の実施形態と比較すると、第１方向に配列される第１及び第２画素電源線ＶＤＤ１、ＶＤＤ２に対して前記画素電源線の電圧降下の問題を克服するために第２方向に配列される第１及び第２補助画素電源線ＶＤＤ１ａ、ＶＤＤ２ａが更に形成されることを特徴とし、それ以外の構成要素及び連結関係は図２の実施形態と同一であるので、同じ構成要素については同じ図面符号を付し、これについての詳細な説明は省略する。
【００６５】
即ち、前記第１補助画素電源線ＶＤＤ１ａは第２方向に配列されて前記第１画素電源線ＶＤＤ１とメッシュ状に連結されるように実現され、前記第２補助画素電源線ＶＤＤ２ａは前記第１補助画素電源線ＶＤＤ１ａの間にそれぞれ配列されて前記第２画素電源線ＶＤＤ２とメッシュ状に連結されるように実現される。
【００６６】
このとき、前記第１及び第２補助画素電源線ＶＤＤ１ａ、ＶＤＤ２ａは比抵抗値が低い金属物質で実現されることが好ましく、前記第１及び第２補助画素電源線ＶＤＤ１ａ、ＶＤＤ２ａがそれぞれ第１及び第２画素電源線ＶＤＤ１、ＶＤＤ２に電気的に連結されることで、前記第１、２画素電源線ＶＤＤ１、ＶＤＤ２の線抵抗を下げる役割を果たして結果として、前記第１、２画素電源線ＶＤＤ１、ＶＤＤ２による電圧降下の問題を克服するのに役立つ。
【００６７】
但し、前記第１、２補助画素電源線ＶＤＤ１ａ、ＶＤＤ２ａは前記第１、２画素電源線ＶＤＤ１、ＶＤＤ２と異なるレイヤに形成されるので、前記第１補助画素電源線ＶＤＤ１ａと第１画素電源線ＶＤＤ１の交差地点及び第２補助画素電源線ＶＤＤ２ａと第２画素電源線ＶＤＤ２の交差地点にはコンタクトホールが形成されてこれを通じて第１、２補助画素電源線ＶＤＤ１ａ、ＶＤＤ２ａは前記第１、２画素電源線ＶＤＤ１、ＶＤＤ２とそれぞれ電気的に連結される。
【００６８】
図６は、図５に示す実施形態に対して第１、２画素電源線及び第１、２補助画素電源線と、各画素の連結関係を具体的に示す図である。
【００６９】
但し、図６では説明の便宜上、走査線及びデータ線の配列は省略されており、これは一例であって、図４Ａの実施形態に第１、２補助画素電源線ＶＤＤ１ａ、ＶＤＤ２ａが追加されることを説明しているところ、図４Ｂの実施形態にも同一に適用され得る。
【００７０】
図６を参照すれば、画像表示部１００の上側に位置する第１画素電源線ＶＤＤ１は上から下の方向へ引き出されて配列され、画像表示部１００の下側に位置する第２画素電源線ＶＤＤ２は下から上の方向へ引き出されて前記第１画素電源線ＶＤＤ１の間にそれぞれ配列される。
【００７１】
即ち、前記第１画素電源線ＶＤＤ１は画像表示部１００の奇数番目の列方向に配列され、第２画素電源線ＶＤＤ２は画像表示部１００の偶数番目の列方向に配列される。
【００７２】
また、第１補助画素電源線ＶＤＤ１ａは行方向に配列されて前記第１画素電源線ＶＤＤ１とメッシュ状に連結されるように実現され、前記第２補助画素電源線ＶＤＤ２ａは前記第１補助画素電源線ＶＤＤ１ａの間にそれぞれ配列されて前記第２画素電源線ＶＤＤ２とメッシュ状に連結されるように実現される。
【００７３】
即ち、前記第１補助画素電源線ＶＤＤ１ａは画像表示部の奇数番目の行方向に配列されて前記第１画素電源線ＶＤＤ１とメッシュ状に連結され、前記第２補助画素電源線ＶＤＤ２ａは画像表示部の偶数番目の行方向に配列されて前記第２画素電源線ＶＤＤ２とメッシュ状に連結される。
【００７４】
ここで、前記第１、２補助画素電源線ＶＤＤ１ａ、ＶＤＤ２ａは前記第１、２画素電源線ＶＤＤ１、ＶＤＤ２と異なるレイヤに形成されるので、前記第１補助画素電源線ＶＤＤ１ａと第１画素電源線ＶＤＤ１の交差地点及び第２補助画素電源線ＶＤＤ２ａと第２画素電源線ＶＤＤ２の交差地点には図６に示すように、コンタクトホールが形成されてこれを通じて第１、２補助画素電源線ＶＤＤ１ａ、ＶＤＤ２ａは前記第１、２画素電源線ＶＤＤ１、ＶＤＤ２とそれぞれ電気的に連結される。
【００７５】
また、図６に示す実施形態は、図４Ａの実施形態と同様に、前記画像表示部１００に備えられる複数の画素１１０の場合、奇数番目の行に配列された画素は第１側、即ち、図６の左側に配列された画素電源線に連結され、偶数番目の行に配列された画素は第２側、即ち、図６の右側に配列された画素電源線に連結される。
【００７６】
このとき、前記画素は、赤色Ｒ、緑色Ｇ、青色Ｂ画素が１つの単位画素を実現する。
【００７７】
本発明は前記画像表示部１００に備えられるそれぞれの画素１１０が前記第１画素電源線ＶＤＤ１又は第２画素電源線ＶＤＤ２に連結されるにおいて、前記画像表示部１００に備えられる複数の画素１１０のうち、同じ色相の隣接する画素は前記互いに異なる画素電源線にそれぞれ連結されることを特徴とする。
【００７８】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００７９】
１００  画像表示部、
１１０  画素、
２００  データ駆動部、
３００  走査駆動部３
Ｓ１、Ｓ２、．．．Ｓｎ-１、Ｓｎ、  走査線、
Ｄ１、Ｄ２、．．．．Ｄｍ-１、Ｄｍ    データ線、
ＶＤＤ１、ＶＤＤ２    第１及び第２画素電源線、
１２２、１２４    第１、２電源供給源
【図１】
0005616110.tif 000002
【図２】
0005616110.tif 000003
【図３】
0005616110.tif 000004
【図４Ａ】
0005616110.tif 000005
【図４Ｂ】
0005616110.tif 000006
【図５】
0005616110.tif 000007
【図６】
0005616110.tif 000008